(57)【特許請求の範囲】
【請求項１】
建物の躯体に吊り下げられる本体ユニット（20）と、該本体ユニット（20）の下面を覆って室内に露出する化粧パネル（21）とを備える空気調和装置の室内ユニットであって、
上記本体ユニット（20）の下面と上記化粧パネル（21）の上面の何れか一方又は両方に、上記躯体に吊り下げられたシステム天井用の枠部材（30）を嵌め込むための嵌合溝（17）が形成されており、
上記嵌合溝（17）に上記枠部材（30）が嵌り込んだ状態となるように、上記本体ユニット（20）が上記枠部材（30）の上側に、上記化粧パネル（21）が上記枠部材（30）の下側にそれぞれ配置されることを特徴とする空気調和装置の室内ユニット。
【請求項２】
建物の躯体に吊り下げられる本体ユニット（20）と、該本体ユニット（20）の下面を覆って室内に露出する化粧パネル（21）とを備える空気調和装置の室内ユニットであって、
上記化粧パネル（21）の下面には、上記躯体に吊り下げられたシステム天井用の枠部材（30）を嵌め込むための嵌合溝（17）が形成されており、
上記嵌合溝（17）に上記枠部材（30）が嵌り込んだ状態となるように、上記化粧パネル（21）が上記枠部材（30）の上側に配置されることを特徴とする空気調和装置の室内ユニット。
【請求項３】
建物の躯体に吊り下げられる本体ユニット（20）と、該本体ユニット（20）の下面を覆って室内に露出する化粧パネル（21）とを備える空気調和装置の室内ユニットであって、
上記本体ユニット（20）は、上記躯体に吊り下げられたシステム天井用の枠部材（30）を構成する枠構成部材（31）の上側に跨って配置される一方、
上記化粧パネル（21）は、複数の分割パネル（21a,21b,…）を備えており、
上記分割パネル（21a,21b,…）は、隣り合う分割パネル（21a,21b）との間に上記枠構成部材（31）を通すための隙間が形成されるように、互いに所定の間隔をおいて上記本体ユニット（20）の下面に取り付けられることを特徴とする空気調和装置の室内ユニット。
【請求項４】
請求項１乃至３の何れか１つにおいて、
上記本体ユニット（20）には天井裏の空気を吸い込むための吸込口（22）が形成され、上記化粧パネル（21）には室内へ空気を供給するための吹出口（23）が形成されていることを特徴とする空気調和装置の室内ユニット。
【発明の詳細な説明】
【技術分野】
【０００１】
本発明は、システム天井用の空気調和装置の室内ユニットに関するものである。
【背景技術】
【０００２】
従来より、空調空間の天井に設置される空気調和装置の室内ユニットが知られている。特許文献１には、この種の室内ユニットが開示されている。この室内ユニットは、内部に各種構成機器を収納するケーシングを備えている。ケーシングは、ケーシング本体と化粧パネルとから構成されている。ケーシング本体は、天井に形成された開口に挿入されて配置される。化粧パネルは、天井の開口に嵌め込まれるように配置される。
【特許文献１】特開２００５−２４１２４３号公報
【発明の開示】
【発明が解決しようとする課題】
【０００３】
ところで、近年、オフィスビルなどでは、いわゆるシステム天井がよく用いられる。システム天井は、建物の躯体からシステム天井用の枠部材を吊り下げて、その枠部材に天井板、照明器具、及び空気調和装置の室内ユニットなどを取り付けることにより構成される。枠部材は、例えば真っ直ぐな枠構成部材を格子状に組み立てることにより構成される。
【０００４】
ところが、システム天井に取り付ける室内ユニットによっては、平面形状が大きいために枠部材の１つの枠に収まらない場合がある。例えば、システム天井用の室内ユニットが設置空間の高さの制約を受けるために、必要な熱交換器の面積を高さで確保できない場合である。このような場合、熱交換器の面積を長さで確保するので、室内ユニットの平面形状が大きくなる。システム天井用の室内ユニットは、本体ユニットが天井裏の空間に収容されるので、設置区間の高さの制約を受ける場合が多い。
【０００５】
そして、室内ユニットが枠部材の１つの枠に収まらない場合は、そのままでは室内ユニットを設置することができないので、枠部材の一部を取り外して除去するか、切断して除去する必要がある。従って、枠部材の一部を除去する作業が設置作業において手間になると共に、その除去に伴いシステム天井の強度が低下するという問題がある。
【０００６】
本発明は、かかる点に鑑みてなされたものであり、その目的とするところは、システム天井の枠部材の一部に跨る室内ユニットについて、システム天井の強度を低下させることなく容易に設置可能な室内ユニットを提供することにある。
【課題を解決するための手段】
【０００７】
第１の発明は、建物の躯体に吊り下げられる本体ユニット（20）と、該本体ユニット（20）の下面を覆って室内に露出する化粧パネル（21）とを備える空気調和装置の室内ユニット（13）を対象とする。そして、この室内ユニット（13）は、上記本体ユニット（20）の下面と上記化粧パネル（21）の上面の何れか一方又は両方に、上記躯体に吊り下げられたシステム天井用の枠部材（30）を嵌め込むための嵌合溝（17）が形成されており、上記嵌合溝（17）に上記枠部材（30）が嵌り込んだ状態となるように、上記本体ユニット（20）が上記枠部材（30）の上側に、上記化粧パネル（21）が上記枠部材（30）の下側にそれぞれ配置される。
【０００８】
第１の発明では、本体ユニット（20）の下面と化粧パネル（21）の上面の何れか一方又は両方に、システム天井用の枠部材（30）を嵌め込むための嵌合溝（17）が形成されている。そして、嵌合溝（17）に枠部材（30）が嵌り込んだ状態で室内ユニット（13）が設置される。すなわち、室内ユニット（13）が枠部材（30）の一部に跨る状態において、枠部材（30）を嵌合溝（17）に嵌め込むことにより枠部材（30）の一部を除去することなく室内ユニット（13）が設置される。
【０００９】
第２の発明は、建物の躯体に吊り下げられる本体ユニット（20）と、該本体ユニット（20）の下面を覆って室内に露出する化粧パネル（21）とを備える空気調和装置の室内ユニット（13）を対象とする。そして、この室内ユニット（13）は、上記化粧パネル（21）の下面には、上記躯体に吊り下げられたシステム天井用の枠部材（30）を嵌め込むための嵌合溝（17）が形成されており、上記嵌合溝（17）に上記枠部材（30）が嵌り込んだ状態となるように、上記化粧パネル（21）が上記枠部材（30）の上側に配置される。
【００１０】
第２の発明では、化粧パネル（21）の下面に、システム天井用の枠部材（30）を嵌め込むための嵌合溝（17）が形成されている。そして、嵌合溝（17）に枠部材（30）が嵌り込んだ状態で室内ユニット（13）が設置される。すなわち、上記第１の発明と同様に、室内ユニット（13）が枠部材（30）の一部に跨る状態において、枠部材（30）の一部を除去することなく室内ユニット（13）が設置される。
【００１１】
第３の発明は、建物の躯体に吊り下げられる本体ユニット（20）と、該本体ユニット（20）の下面を覆って室内に露出する化粧パネル（21）とを備える空気調和装置の室内ユニット（13）を対象とする。そして、上記本体ユニット（20）は、上記躯体に吊り下げられたシステム天井用の枠部材（30）を構成する枠構成部材（31）の上側に跨って配置される一方、上記化粧パネル（21）は、複数の分割パネル（21a,21b,…）を備えており、上記分割パネル（21a,21b,…）は、隣り合う分割パネル（21a,21b）との間に上記枠構成部材（31）を通すための隙間が形成されるように、互いに所定の間隔をおいて上記本体ユニット（20）の下面に取り付けられる。
【００１２】
第３の発明では、化粧パネル（21）が複数の分割パネル（21a,21b,…）を備えている。そして、各分割パネル（21a,21b,…）が枠構成部材（31）の上側に跨る本体ユニット（20）の下面に、互いに所定の間隔をおいて取り付けられると、隣り合う分割パネル（21a,21b）との間には枠構成部材（31）を通すための隙間が形成される。すなわち、上記第１及び第２の発明と同様に、室内ユニット（13）が枠部材（30）の一部に跨る状態において、枠部材（30）の一部を除去することなく室内ユニット（13）が設置される。
【００１３】
第４の発明は、第１乃至第３の何れか１つの発明において、上記本体ユニット（20）には天井裏の空気を吸い込むための吸込口（22）が形成され、上記化粧パネル（21）には室内へ空気を供給するための吹出口（23）が形成されている。
【００１４】
第４の発明では、本体ユニット（20）に吸込口（22）が形成され、化粧パネル（21）に吹出口（23）が形成されている。ところで、本体ユニット（20）の下面や化粧パネル（21）に嵌合溝（17）を形成するなど枠部材（30）を嵌め込むための加工を行うと、本体ユニット（20）と化粧パネル（21）に跨る空気通路の形成が制約を受けたり、その空気通路の周囲をシールしにくくなる場合がある。この第４の発明では、本体ユニット（20）と化粧パネル（21）に跨る空気通路が吹出口（23）のみになっている。
【発明の効果】
【００１５】
上記第１、第２の各発明では、枠部材（30）を嵌め込むための嵌合溝（17）を形成しているため、枠部材（30）の一部を除去することなく、室内ユニット（13）が枠部材（30）の一部に跨る状態で設置される。つまり、枠部材（30）をそのままの状態で室内ユニット（13）を設置することが可能になる。従って、システム天井の強度を低下させることなく室内ユニット（13）を設置することができる。さらに、枠部材（30）の一部を除去する作業が必要ないので、室内ユニット（13）の設置作業を容易化することができる。
【００１６】
また、上記第３の発明では、隣り合う分割パネル（21a,21b）との間に枠構成部材（31）を通すための隙間が形成されるように、互いに所定の間隔をおいて分割パネル（21a,21b,…）を本体ユニット（20）の下面に取り付けることで、枠部材（30）の一部を除去することなく、室内ユニット（13）が枠部材（30）の一部に跨る状態で設置される。つまり、枠部材（30）をそのままの状態で室内ユニット（13）を設置することが可能になる。従って、システム天井の強度を低下させることなく室内ユニット（13）を設置することができる。さらに、枠部材（30）の一部を除去する作業が必要ないので、室内ユニット（13）の設置作業を容易化することができる。
【００１７】
また、上記第４の発明では、本体ユニット（20）と化粧パネル（21）に跨る空気通路が吹出口（23）のみになっている。従って、吹出口（23）が吸込口（22）の影響を受けないので、吹出口（23）を形成しやすくなると共にその周囲のシールも行いやすくなり、その分枠部材（30）を嵌め込むための加工による影響を軽減させることができる。
【発明を実施するための最良の形態】
【００１８】
以下、本発明の実施形態を図面に基づいて詳細に説明する。
【００１９】
−室内ユニット全体の構成−
本実施形態の空気調和装置の室内ユニット（13）は、システム天井用の室内ユニット（13）である。室内ユニット（13）は、図示しない室外ユニットと共に空気調和装置を構成している。室内ユニット（13）は、冷媒配管を介して室外ユニットに接続されている。
【００２０】
図１及び図２に示すように、室内ユニット（13）は、システム天井用の格子状の枠部材（30）の各格子に天井板（18）や照明器具と共に設置されるものである。ここで、システム天井用の枠部材（30）は、建物の躯体の天井から棒状の吊部材（32）を介して吊り下げられている。枠部材（30）は、断面形状がＴ字状で真っ直ぐな枠構成部材（31）を格子状に組み立てることにより構成されている。枠構成部材（31）は、吊部材（32）を介して天井から吊り下げられる主部材と、該主部材によって支持される副部材とから構成されている。枠部材（30）の格子は、例えば一辺が６０ｃｍの正方形になっている。一般に、システム天井では、一辺が６０ｃｍの正方形の枠部材（30）か、一辺が６４ｃｍの正方形の枠部材（30）がよく用いられる。
【００２１】
室内ユニット（13）は、直方体状に形成されている。室内ユニット（13）は、概ね幅６０ｃｍ×奥行き１２０ｃｍの大きさになっている。室内ユニット（13）は、１本の枠構成部材（31）に跨って枠部材（30）の２つの格子の開口に面するように設置される。
【００２２】
室内ユニット（13）は、本体ユニット（20）と化粧パネル（21）とを備えている。本体ユニット（20）は、枠部材（30）と同様に、建物の躯体の天井から吊部材（32）を介して吊り下げられることにより設置される。化粧パネル（21）は、本体ユニット（20）の下面を覆うように本体ユニット（20）の下面に取り付けられる。本体ユニット（20）の下面に取り付けられた化粧パネル（21）は室内に露出する。
【００２３】
《本体ユニット》
本体ユニット（20）は、ケーシング（34）を備えている。ケーシング（34）内には、室内熱交換器（38）と室内ファン（39）とドレンパン（40）とドレンポンプ（41）とが設けられている。室内熱交換器（38）と室内ファン（39）とは、それぞれ２つずつ設けられている。
【００２４】
ケーシング（34）は、略直方体状に形成され、下側が概ね開口している。ケーシング（34）の天板は、寸法が概ね幅６０ｃｍ×奥行き１２０ｃｍの長方形状に形成されている。また、ケーシング（34）の側面には、室内熱交換器（38）に接続される冷媒配管を通すための挿通孔が形成されている（図示省略）。
【００２５】
各室内熱交換器（38）は、クロスフィン式のフィン・アンド・チューブ型熱交換器として構成されている。各室内熱交換器（38）は、全体として略長方形の平らなパネル状に形成されている。各室内熱交換器（38）は、長手方向がケーシング（34）の長手方向と一致するように、ケーシング（34）の長手側の側面に沿って互いに対向するように配置されている。各室内熱交換器（38）は、下側ほど内側になるように傾斜した状態で立設されている。
【００２６】
各室内ファン（39）は、ターボファンとして構成されている。各室内ファン（39）は、ファンモータ（39a）と羽根車（39b）とを備えている。羽根車（39b）は、ファンモータ（39a）に連結されて水平方向に回転駆動する。羽根車（39b）の下側には、後述する化粧パネル（21）の吸込口（22）に連通するベルマウス（25）が設けられている。各室内ファン（39）は、下側から吸い込んだ空気を水平方向へ吹き出すように構成されている。各室内ファン（39）は、空気の吹き出し側が両方の室内熱交換器（38）に臨んでいる。
【００２７】
各室内ファン（39）は、ケーシング（34）の長手方向に並んで配置されている。室内ファン（39）の間には、図示しない仕切壁が設けられている。この仕切壁は、ケーシング（34）を長手方向に概ね２等分する位置に設けられている。仕切壁は、各室内ファン（39）の吹出空気が互いに干渉することを防止し、室内ファン（39）の回転音が互いに共鳴することを抑制するためのものである。
【００２８】
ドレンパン（40）は、ドレン受部（40a）とドレン集合部（40b）とを備え、平面視コ字状に形成されている。ドレン受部（40a）は、各室内熱交換器（38）において空気中の水分が凝縮されて生じるドレン水を受けることができるように、各室内熱交換器（38）の下側にそれぞれ配置されている。ドレン受部（40a）は、平面視で略長方形状に形成されている。ドレン集合部（40b）は、各ドレン受部（40a）の長手方向の一端側を接続している。ドレン集合部（40b）には、ドレンポンプ（41）が設置されている。ドレンパン（40）は、ドレン集合部（40b）におけるドレンポンプ（41）の設置部に向かってドレン水が流れるように流水勾配が付けられている。ドレンポンプ（41）は、ドレン集合部（40b）に集められるドレン水をドレンホースを介して室外に排水する。
【００２９】
《化粧パネル》
化粧パネル（21）は、本体ユニット（20）のケーシング（34）の下面と概ね同じ大きさの長方形状に形成されている。すなわち、化粧パネル（21）は、寸法が概ね幅６０ｃｍ×奥行き１２０ｃｍになっている。なお、化粧パネル（21）の平面形状は、本体ユニット（20）の平面形状と同じでなくてもよい。化粧パネル（21）を枠部材（30）の枠の大きさに合わせるのが望ましい。
【００３０】
化粧パネル（21）の上面には、枠部材（30）の枠構成部材（31）を嵌め込むための嵌合溝（17）が形成されている。嵌合溝（17）は、化粧パネル（21）を長手方向に２等分する位置で該化粧パネル（21）を横断している。嵌合溝（17）は、断面視コ字状の溝でである。嵌合溝（17）は、底面幅が枠構成部材（31）の幅よりも僅かに大きく、深さが枠構成部材（31）の高さよりも僅かに大きくなっている。化粧パネル（21）は、嵌合溝（17）に枠構成部材（31）が嵌り込んだ状態になるように、枠構成部材（31）の上側に配置された本体ユニット（20）の下面に枠構成部材（31）の下側から取り付けられる。
【００３１】
化粧パネル（21）は、この嵌合溝（17）を境にして第１パネル（21a）と第２パネル（21b）とに区分される。各パネル（21a,21b）の中央には、正方形状の吸込口（22）が設けられている。吸込口（22）には、吸込グリル（26）が設けられ、その吸込グリル（26）の裏側には、吸込空気の塵埃を除去するためのフィルタ（24）が設けられている。また、各パネル（21a,21b）には、化粧パネル（21）の長手方向に沿って延びる吹出口（23）が２つずつ設けられている。吹出口（23）は、吸込口（22）を挟むように設けられている。各吸込口（22）には、吹出空気の風向を調節するためのフラップ（27）がそれぞれ設けられている。
【００３２】
この室内ユニット（13）では、各室内ファン（39）によって室内空気が吸込口（22）から吸い込まれ、各室内熱交換器（38）へ送られる。各室内熱交換器（38）に送られた空気は、各室内熱交換器（38）を通過する際に温度調節される。そして、温度調節された空気は、ケーシング（34）内の各室内熱交換器（38）の外側を下向きに流通して、化粧パネル（21）の吹出口（23）から室内へ供給される。
【００３３】
なお、本体ユニット（20）に化粧パネル（21）を取り付ける際には、スポンジ状のシール材を本体ユニット（20）と化粧パネル（21）との間に介在させる。シール材は、第１パネル（21a）と第２パネル（21b）との各周囲に沿って設けられる。これにより、各室内熱交換器（38）で温度調節された空気が、本体ユニット（20）と化粧パネル（21）との間から漏れて、枠部材（30）に吹き付けることを防止することができる。
【００３４】
−実施形態の効果−
上記実施形態によれば、枠部材（30）を嵌め込むための嵌合溝（17）を化粧パネル（21）の上面に形成しているため、枠部材（30）の一部を除去することなく、室内ユニット（13）が枠部材（30）の一部に跨る状態で設置される。つまり、枠部材（30）をそのままの状態で室内ユニット（13）を設置することが可能になる。従って、システム天井の強度を低下させることなく室内ユニット（13）を設置することができる。さらに、枠部材（30）の一部を除去する作業が必要ないので、室内ユニット（13）の設置作業を容易化することができる。
【００３５】
なお、室内ユニット（13）が枠構成部材（31）のうち主部材に跨る位置に設置される場合は、システム天井の強度上の問題から主部材を除去することができず室内ユニット（13）を設置することができない場合も有り得る。本実施形態では、そのような状況でも容易に室内ユニット（13）を設置することができる。
【００３６】
−実施形態の変形例１−
実施形態の変形例１について説明する。この変形例１の室内ユニット（13）を図３に示す。この室内ユニット（13）は、本体ユニット（20）の下面に嵌合溝（17）が形成されている。
【００３７】
具体的に、嵌合溝（17）は、その深さが枠構成部材（31）の高さよりも僅かに大きくなるように形成される。すなわち、嵌合溝（17）に枠構成部材（31）を嵌め込んだ状態で室内ユニット（13）の下面から枠構成部材（31）が突出しないように嵌合溝（17）が形成される。化粧パネル（21）は、枠構成部材（31）が嵌り込んだ状態の本体ユニット（20）の下面に、枠構成部材（31）の下側から取り付けられる。
【００３８】
−実施形態の変形例２−
実施形態の変形例２について説明する。この変形例２の室内ユニット（13）を図４に示す。この変形例２の室内ユニット（13）は、化粧パネル（21）の下面に嵌合溝（17）が形成されている。室内ユニット（13）は、化粧パネル（21）の嵌合溝（17）に枠構成部材（31）が嵌り込んだ状態で、枠構成部材（31）の上側に設置される。
【００３９】
−実施形態の変形例３−
実施形態の変形例３について説明する。この変形例３の室内ユニット（13）を図５に示す。この変形例２の室内ユニット（13）は、化粧パネル（21）が２つの分割パネル（21a,21b）を備えている。各分割パネル（21a,21b）は、所定の距離が離れた状態で枠構成部材（31）の上側に跨る本体ユニット（20）の下面にそれぞれ取り付けられる。枠構成部材（31）は、各分割パネル（21a,21b）の側面の間に嵌め込まれる。
【００４０】
この変形例３によれば、隣り合う分割パネル（21a,21b）との間に枠構成部材（31）が嵌め込まれるように、所定の距離が離れた状態で分割パネル（21a,21b,…）を本体ユニット（20）の下面に取り付けることで、枠部材（30）の一部を除去することなく、室内ユニット（13）が枠部材（30）の一部に跨る状態で設置される。つまり、枠部材（30）をそのままの状態で室内ユニット（13）を設置することが可能になる。従って、システム天井の強度を低下させることなく室内ユニット（13）を設置することができる。さらに、枠部材（30）の一部を除去する作業が必要ないので、室内ユニット（13）の設置作業を容易化することができる。
【００４１】
《その他の実施形態》
上記実施形態について、本体ユニット（20）は、フィルタなどの機能性部材を収納する中間ユニット（15）を備えるようにしてもよい。中間ユニット（15）は、室内熱交換器（38）と室内ファン（39）などを収納するケーシング（34）と概ね同じ平面形状に形成される。中間ユニット（15）は、ケーシング（34）の下面に取り付けられる。化粧パネル（21）は、中間ユニット（15）の下面に取り付けられる。この場合、中間ユニット（15）の下面に嵌合溝（17）が形成されていてもよい。
【００４２】
また、上記実施形態について、嵌合溝（17）が、図６に示すように、本体ユニット（20）の下面及び化粧パネル（21）の上面の双方のそれぞれ対面する位置に設けられていてもよい。
【００４３】
また、上記実施形態について、図６に示すように、本体ユニット（20）に吸込口（22）を形成して、化粧パネル（21）に吹出口（23）を形成してもよい。吸込口（22）は、本体ユニット（20）のケーシング（34）の天板の各室内ファン（39）の上側に形成される。この場合、化粧パネル（21）において吹出口（23）を形成しやすくなると共にその周囲のシールも行いやすくなるので、その分枠部材（30）を嵌め込むための加工による影響を軽減させることができる。なお、吸込口（22）は、本体ユニット（20）のケーシング（34）の側面に形成してもよい。
【００４４】
また、上記実施形態について、室内ユニット（13）が、枠部材（30）の３つ以上の格子の開口に面する大きさであってもよい。例えば、室内ユニット（13）が枠部材（30）の４つの格子に面する場合は、嵌合溝（17）を十字状に形成する。
【００４５】
なお、以上の実施形態は、本質的に好ましい例示であって、本発明、その適用物、あるいはその用途の範囲を制限することを意図するものではない。
【産業上の利用可能性】
【００４６】
以上説明したように、本発明は、システム天井用の空気調和装置の室内ユニットについて有用である。
【図面の簡単な説明】
【００４７】
【図１】本発明の実施形態に係る室内ユニットの斜視図である。
【図２】本発明の実施形態に係る室内ユニットの断面図である。
【図３】本発明の実施形態の変形例１に係る室内ユニットの斜視図である。
【図４】本発明の実施形態の変形例２に係る室内ユニットの斜視図である。
【図５】本発明の実施形態の変形例３に係る室内ユニットの斜視図である。
【図６】その他の実施形態に係る室内ユニットの斜視図である。
【符号の説明】
【００４８】
13  室内ユニット
17  嵌合溝
20  本体ユニット
21  化粧パネル
21a 分割パネル
21b 分割パネル
22  吸込口
23  吹出口
30  枠部材
31  枠構成部材
【図１】
0004747948.tif 000002
【図２】
0004747948.tif 000003
【図３】
0004747948.tif 000004
【図４】
0004747948.tif 000005
【図５】
0004747948.tif 000006
【図６】
0004747948.tif 000007